(57)【特許請求の範囲】
【請求項１】
照明光を被照明領域の法線に対して傾斜した方向から導く照明光学系であって、光源と、光源からの光が入射する入射面と入射した光が出射する出射面を有し、出射面上における光の強度分布を平滑化する平滑化素子と、平滑化素子の出射面の各部位からの光を収束させて平滑化素子の出射面の像を中間像を作ることなく被照明領域に形成するリレー光学系とを備える照明光学系であって、リレー光学系が、平滑化素子からの光が入射する前レンズ群と、入射した光が出射する後レンズ群と、を含むものにおいて、
リレー光学系の後レンズ群の屈折力が、リレー光学系の光軸と被照明領域の法線とを含む平面に沿う方向に非対称であり、かつ、被照明領域から遠い側よりも被照明領域に近い側で大きいことを特徴とする照明光学系。
【請求項２】
前記平滑化素子は、入射光をその内部で反射して光の強度分布を平滑化することを特徴とする請求項１に記載の照明光学系。
【請求項３】
リレー光学系の後レンズ群の屈折力の非対称性が、後レンズ群に含まれるレンズの１つの表面の形状のみにより規定されていることを特徴とする請求項１または請求項２に記載の照明光学系。
【請求項４】
前記表面に隣接部位に対して不連続な部位が存在することを特徴とする請求項３に記載の照明光学系。
【請求項５】
前記表面の隣接部位に対して不連続な部位が扇形であることを特徴とする請求項４に記載の照明光学系。
【請求項６】
前記表面に隣接部位に対して不連続な部位が存在しないことを特徴とする請求項３に記載の照明光学系。
【請求項７】
反射型の映像表示素子と、一旦強度分布を平滑化した光を映像表示素子の反射面を含む範囲に反射面に対して傾斜した方向から導いて、光の強度分布を反射面付近で再度平滑化する照明光学系と、映像表示素子によって反射された光を投射する投射光学系とを備える映像投射装置において、照明光学系として請求項１ないし請求項６のいずれか１項に記載の照明光学系を備えることを特徴とする映像投射装置。
【請求項８】
前記反射型の映像表示素子は、多数のミラー素片より成る反射面を有し、映像信号に応じて各ミラー素片を第１の方向と第２の方向のいずれかに向け、第１と第２のいずれかの方向に反射された光が投射光学系により投射されることを特徴とする請求項７に記載の映像投射装置。
【発明の詳細な説明】
【０００１】
【発明の属する技術分野】
本発明は、照明対象に略均一な強度分布の光を導く照明光学系、および、光を２方向に反射して一方の反射光を映像を表す光とする映像表示素子により照明光学系からの光を反射して、映像を表す反射光を投射する映像投射装置に関する。
【０００２】
【従来の技術】
近年、ＤＭＤ（Digital Micromirror Device：デジタルマイクロミラー素子）と呼ばれる反射型の映像表示素子を備えた映像投射装置が開発されている。ＤＭＤは、２次元に配列された多数の微小なミラー素片で反射面を構成し、各ミラー素片をその法線に垂直な軸を中心に回動可能として、ミラー素片の方向（法線の方向）を個別に設定し得るようにした素子である。全てのミラー素片の回動軸は平行であり、各ミラー素片の方向は、映像信号に応じて、所定の２方向から選択される。ＤＭＤに与えられる照明光は２方向に反射され、一方の反射光が映像を表す光となり、他方の反射光は映像を表さない不要な光となる。
【０００３】
以下、映像を表す光をＯＮ光、不要な光をＯＦＦ光といい、ＯＮ光を生じるミラー素片の方向をＯＮ方向、ＯＦＦ光を生じるミラー素片の方向をＯＦＦ方向という。ミラー素片の方向の変化範囲（回動の角度範囲）は狭く、ＯＮ方向とＯＦＦ方向の角度差は通常１０゜程度であり、したがって、ＯＮ光とＯＦＦ光の角度差は２０゜程度である。
【０００４】
各ミラー素片の方向は高速で切り替えられる。ＯＮ光の量はミラー素片がＯＮ方向を向く時間によって定まるから、ＯＮ方向を向く時間を映像信号に応じてミラー素片ごとに調節することにより、各ミラー素片からのＯＮ光の量に差をもたらして、ＯＮ光全体が映像を表すようにすることができる。
【０００５】
ＤＭＤ照明用の照明光学系は、ミラー素片の回動軸に対して垂直な方向からＤＭＤに照明光を導くように配置され、ＤＭＤはＯＦＦ光と照明光の成す角がＯＮ光と照明光の成す角よりも大きくなるように制御される。すなわち、照明光、ＯＮ光、およびＯＦＦ光の主光線は同一平面上に位置し、ＯＮ光は照明光とＯＦＦ光の間を進む。
【０００６】
照明光は、ＤＭＤに対して垂直に近い方向から導くこともできるし、ＤＭＤに対して大きく傾斜した方向から導くこともできる。照明光をＤＭＤに対して垂直に近い方向から導く場合、照明光とＯＮ光の角度差が小さくなって、両者が部分的に重なり合う。したがって、照明光とＯＮ光を分離する必要があり、このためにプリズムによる光の全反射を利用している。具体的には、ＤＭＤの直前にプリズムを配置し、照明光を側方からプリズムに導き入れてその斜面で全反射させてＤＭＤに導き、ＯＮ光をプリズムを透過させて投射光学系に導く。
【０００７】
照明光をＤＭＤに対して大きく傾斜した方向から導く場合、照明光とＯＮ光に大きな角度差が生じるから、両者が重なり合うのを避けることができる。したがって、照明光をＤＭＤに直接入射させることが可能であり、プリズムを使用する必要がなくなって、簡素な構成となる。
【０００８】
均一な明るさの映像を提供するために、ＤＭＤ上で照明光の強度分布ができるだけ均一になるようにするのが望ましい。このため、照明光学系には、照明光を発する光源のほか、光源からの照明光の強度分布を均一にするインテグレータと、インテグレータの出射面とＤＭＤを略共役にするリレー光学系が備えられる。インテグレータの出射面は、光源からの光をＤＭＤの照明に効率よく利用するために、ＤＭＤと相似形とされる。また、リレー光学系は、入射側の前レンズ群と、出射側の後レンズ群と、投射光学系とＦ数を一致させるための絞りで構成するのが一般的である。絞りは、前レンズ群から後レンズ群に至る光路上の前レンズ群近傍に配置される。
【０００９】
前述のプリズムを備えて照明光をＤＭＤに対して垂直に近い方向から導くようにした照明光学系では、リレー光学系によって形成されるインテグレータの出射面の像がＤＭＤと概ね平行になり、ＤＭＤ上での照明光の強度分布を略均一にすることができる。また、照明光のほとんど全てをＤＭＤに入射させることができて、ＤＭＤを明るく照明することが可能である。
【００１０】
照明光をＤＭＤに対して大きく傾斜した方向から導く照明光学系を備えた映像投射装置の構成を図１２に模式的に示す。この映像投射装置５は、照明光学系６、ＤＭＤ４０および投射光学系５０を備えている。照明光学系６は、光源１０、インテグレータ２０、およびリレー光学系６０より成る。光源１０はランプ１１と回転楕円面のリフレクタ１２で構成されており、ランプ１１はリフレクタ１２の第１焦点上に配置されている。
【００１１】
インテグレータ２０は断面が長方形のロッドであり、入射側の端面２１がリフレクタ１２の第２焦点上に位置するように配置されている。リフレクタ１２によって反射されれたランプ１１からの光は、端面２１上に収束し、インテグレータ２０に入射して、その側面で全反射されながら出射側の端面２２に達する。インテグレータ２０の側面での全反射の回数は入射端面２１への光の入射角に依存し、したがって、出射端面２２上ではリフレクタ１２からの光束の中央部と周辺部の光が混じり合うようになり、強度分布が平滑化（均一化）する。
【００１２】
リレー光学系６０は、前レンズ群６１、後レンズ群６２および絞り６３より成る。前レンズ群６１と後レンズ群６２はいずれも回転対称なレンズのみを含んでおり、リレー光学系６０は、その光軸Ａｘに対して垂直な平面Ｐ上に、インテグレータ２０の出射端面２２の像を形成する。
【００１３】
ＤＭＤ４０は、リレー光学系６０の光軸Ａｘと出射端面２２の像が形成される平面Ｐの交点にその中心が位置し、平面Ｐに対して大きく傾斜するように配置されている。ＤＭＤ４０は長方形であり、インテグレータ２０の断面はＤＭＤ４０と相似である。ＤＭＤ４０の個々のミラー素片は正方形であり、縦横のミラー素片の配列数の差によってＤＭＤ４０は全体として長方形になっている。各ミラー素片の回動軸は、その対角線に一致しており、図１２の紙面に対して垂直である。
【００１４】
投射光学系５０は、ＤＭＤ４０からのＯＮ光を受ける位置に配置されており、入射するＯＮ光をスクリーン（不図示）に投射して、ＯＮ光が表す映像をスクリーン上に形成する。なお、投射光学系５０の光軸はＤＭＤ４０によって折り返されたリレー光学系６０の光軸Ａｘとは一致しておらず、ＯＮ光はやや斜め方向から投射光学系５０に入射する。また、リレー光学系６０の後レンズ群６２は、ＯＮ光の光路上に位置しないように一部を切除されているが、切除された部位は照明光の光路からも外れており、後レンズ群６２の形状が非対称であることは照明光には全く関与せず、後レンズ群６２は回転対称な屈折力を有する。
【００１５】
照明光をＤＭＤ４０に対して大きく傾斜した方向から導く映像投射装置５では、ＤＭＤ４０がインテグレータ２０の出射端面２２の像面Ｐに対して傾斜する。このため、照明光をＤＭＤに対して垂直に近い方向から導く構成とは異なり、ＤＭＤ４０上での照明光の強度分布の均一性が低下し、ＤＭＤ４０の照明に利用される照明光の量も減少する。
【００１６】
この理由を、照明光の光路を示す図１３と、ＤＭＤ４０を含む平面上での照明範囲（照明光の入射範囲）を示す図１４を参照して説明する。いま、図１３に示すように、光軸Ａｘに関して対称な任意の２点Ｐ１、Ｐ２からの光が、後レンズ群６２を経て、ＤＭＤ４０上の点Ｐ１’、Ｐ２’にそれぞれ達する場合を考える。点Ｐ１、Ｐ２からの光は量が等しく光軸Ａｘに関して対称であり、この対称性は後レンズ群６２を透過した後も維持される。ところが、光軸Ａｘから点Ｐ１’までの距離と点Ｐ２’までの距離には差があり、また、点Ｐ１’、Ｐ２’での結像状態にも差が生じる。その結果、ＤＭＤ４０上での照明光の強度は、点Ｐ１’から点Ｐ２’に向かう方向に勾配が生じて、不均一になる。
【００１７】
しかも、照明範囲は平面Ｐ上ではインテグレータ２０の出射端面２２と相似な長方形になるものの、図１４に示すように、ＤＭＤ４０を含む平面上での照明範囲Ａは歪んでしまい、ＤＭＤ４０に入射しない照明光が多くなる。この照明光の損失も、ＤＭＤ４０上の強度分布が不均一になるのを助長する。特に、後レンズ群６２に近い側の歪みが大きくなって、照明光のうち図１３に斜線を付した部分Ｂの損失が多い。
【００１８】
ＤＭＤ上で照明光の強度分布が不均一になっても、強度の高い部位に位置するミラー素片がＯＮ方向を向く時間を、強度の低い部位に位置するミラー素片がＯＮ方向を向く時間よりも短くすることで、明るさの均一な映像を提供することは可能である。しかしながら、そのようにすると、提供する映像の明るさが低下してしまい、また、ＤＭＤの制御も複雑になる。
【００１９】
ＤＭＤ上での照明光の強度分布の均一化を図る方法もいくつか提案されている。例えば、特開２０００−９８２７２では、照明光学系内にミラーを配置して光路を折り返すとともに、そのミラーをＤＭＤのミラー素片の回動軸に平行な稜線を有する山型の形状として、照明光を中央から周辺に分散させるようにしている。
【００２０】
また、特開２０００−１２１９９８では、リレー光学系の後レンズ群を省略して、ミラーアレイを絞り近傍に配置し、前レンズ群からの光をミラーアレイ上に結像させて、ミラーアレイに含まれる各ミラーからＤＭＤに照明光を導くようにしている。各ミラーはＤＭＤに照明光が効率よく入射するように傾きを設定されている。
【００２１】
【発明が解決しようとする課題】
特開２０００−９８２７２の方法では、相対的に強度が高くなる中央部に入射するはずの照明光を周辺部に入射させることができて、強度分布の均一度が向上する。しかし、ミラーが山型でなければＤＭＤに入射する一部の照明光がＤＭＤに入射しなくなって、ＤＭＤ上での強度のさらなる低下を招くことになる。
【００２２】
特開２０００−１２１９９８の方法では、照明光の損失が少なくなり、したがって、強度分布が不均一になるのを軽減することができ、強度を高めることも可能である。しかし、ＤＭＤ上での強度に勾配が生じることは全く回避されないため、あまり強度分布を均一化することはできない。
【００２３】
このように、従来の照明光学系では、照明光の強度分布の均一化と、照明光の損失の低減とを両立させることができない。本発明は、このような状況に鑑みてなされたもので、傾斜した面に照明光を均一な強度分布で導くことが可能で、しかも照明光の損失が少ない照明光学系を提供することを目的とする。また、照明光を効率よく利用して明るい映像を提供する映像投射装置を提供することを目的とする。
【００２４】
【課題を解決するための手段】
上記目的を達成するために、本発明では、照明光を被照明領域の法線に対して傾斜した方向から導く照明光学系であって、光源と、光源からの光が入射する入射面と入射した光が出射する出射面を有し、出射面上における光の強度分布を平滑化する平滑化素子と、平滑化素子の出射面の各部位からの光を収束させて平滑化素子の出射面の像を中間像を作ることなく被照明領域に形成するリレー光学系とを備える照明光学系であって、リレー光学系が、平滑化素子からの光が入射する前レンズ群と、入射した光が出射する後レンズ群と、を含むものにおいて、リレー光学系の後レンズ群の屈折力を、リレー光学系の光軸と被照明領域の法線とを含む平面に沿う方向に非対称にし、かつ、被照明領域から遠い側よりも被照明領域に近い側で大きくする。
【００２５】
リレー光学系の後レンズ群の屈折力を非対称にすると、リレー光学系の光軸に対して垂直な面上でのインテグレータの出射面の結像状態は非対称になるが、逆に、光軸に対して傾斜した面上でのインテグレータの出射面の結像状態を略対称にすることができる。したがって、傾斜した面上での照明光の強度分布を均一にすることが可能であり、また、傾斜した面上の所望の範囲のみに照明光を導くこともできる。
【００２６】
前記平滑化素子は、入射光をその内部で反射して光の強度分布を平滑化することが好ましい。
【００２７】
また、リレー光学系の後レンズ群の屈折力の非対称性を、後レンズ群に含まれるレンズの１つの表面の形状のみにより規定するとよい。リレー光学系の設計や製造が容易になる。その表面は、隣接部位に対して不連続な部位が存在する形状とすることもできるし、隣接部位に対して不連続な部位が存在しない形状とすることもできる。前者の場合、レンズの作製が容易になり、例えば、隣接部位に対して不連続な部位を単純な扇形とすることもできる。後者の場合、傾斜した面上での照明光の強度分布の均一度や照明範囲を精度よく設定することが可能になる。
【００２８】
前記目的を達成するために、本発明ではまた、反射型の映像表示素子と、一旦強度分布を平滑化した光を映像表示素子の反射面を含む範囲に反射面に対して傾斜した方向から導いて、光の強度分布を反射面付近で再度平滑化する照明光学系と、映像表示素子によって反射された光を投射する投射光学系とを備える映像投射装置において、照明光学系として上記のいずれかの照明光学系を備える設定とする。前記反射型の映像表示素子は、多数のミラー素片より成る反射面を有し、映像信号に応じて各ミラー素片を第１の方向と第２の方向のいずれかに向け、第１と第２のいずれかの方向に反射された光が投射光学系により投射されることが好ましい。
【００２９】
映像表示素子はＤＭＤであり、第１の方向を向いたミラー素片によって反射された光を映像を表すＯＮ光とする。ＯＮ光は投射光学系によって投射される。映像表示素子の照明には上記の照明光学系を用いる。照明光は映像表示素子に対して傾斜しているが、リレー光学系の後レンズ群の屈折力の非対称な方向が傾斜方向に一致しているため、映像表示素子を均一に照明することができる。しかも、リレー光学系の後レンズ群の屈折力が反射面に近い側で大きいから、映像表示素子に入射しない照明光が少なくなって、映像表示素子を明るく照明することが可能である。
【００３０】
【発明の実施の形態】
以下、本発明の照明光学系および映像投射装置の一実施形態について図面を参照しながら説明する。本実施形態の映像投射装置１の構成を図１に模式的に示す。映像投射装置１は、光源１０、インテグレータ２０およびリレー光学系３０より成る照明光学系３、ＤＭＤ４０、ならびに投射光学系５０を備えている。映像投射装置１は、照明光学系３、特にリレー光学系３０に特徴を有する。光源１０、インテグレータ２０、ＤＭＤ４０および投射光学系５０の構成や設定は、図１２に示した従来の映像投射装置５のものと同様であり、重複する説明は省略する。
【００３１】
リレー光学系３０は、正の屈折力を有する前レンズ群３１および後レンズ群３２、ならびに前レンズ群３１から後レンズ群３２に至る光路上の前レンズ群３２近傍に配置された絞り３３より成る。前レンズ群３１と後レンズ群３２は、インテグレータ２０からの照明光を収束させて、インテグレータ２０の出射端面２２の像をＤＭＤ４０の近傍に形成する。また、絞り３３は、絞り５１によって規定される投射光学系５０のＦ数にＯＮ光が適合するように、照明光の光束径を規制する。
【００３２】
前レンズ群３１は回転対称なレンズのみを含んでいる。これは映像投射装置５の前レンズ群６１と同様である。一方、後レンズ群３２は、リレー光学系３０の光軸Ａｘに関して１方向について非対称な形状の表面３５を有するレンズを含んでおり、その方向についての屈折力が非対称になっている。なお、後レンズ群３２は、ＤＭＤ４０から投射光学系５０に至るＯＮ光の光路上に位置しないように一部を切除されているが、これは屈折力が非対称であることとは無関係である。
【００３３】
ＤＭＤ４０は、リレー光学系３０の光軸Ａｘの近傍を進む照明光が結像する位置にその中心が略一致するように、かつ、光軸Ａｘに対して傾斜するように配置されている。ＤＭＤ４０の各ミラー素片の回動軸は光軸Ａｘに対して垂直（図１の紙面に対して垂直）である。
【００３４】
リレー光学系３０の後レンズ群３２の屈折力が非対称な方向は、ミラー素片の回動軸に垂直（図１の紙面に平行）である。また、後レンズ群３２の屈折力は、ＤＭＤ４０から遠い側よりもＤＭＤ４０に近い側で大きくなるように設定されている。ＤＭＤ４０に対する後レンズ群３２の向きおよび屈折力の関係を図２および図３に示す。図２は光軸Ａｘを含みミラー素片の回動軸に垂直な面での断面である。後レンズ群３２の表面３５の形状は、紙面に沿う方向について、光軸Ａｘに関して非対称である。
【００３５】
図３において、（ａ）および（ｂ）は光軸Ａｘ方向から見たＤＭＤ４０と後レンズ群３２をずらして表したものである。符号ＲｘはＤＭＤ４０の中央に位置するミラー素片の回動軸を示している。（ｃ）は回動軸Ｒｘ方向から見たＤＭＤ４０を表しており、ＯＮ方向を向いたミラー素片４１を示している。また、（ｄ）は回動軸Ｒｘに平行な方向から見た後レンズ群３２を表している。
【００３６】
後レンズ群３２の屈折力は、ミラー素片４１のＯＦＦ方向側よりもＯＮ方向側で大きくなる。これにより、ＤＭＤ４０上での照明光の強度分布を均一化し、また、照明光の大部分をＤＭＤ４０に入射させて損失を大幅に低減することが可能になる。
【００３７】
後レンズ群３２の非対称な表面３５は、隣接部位に対して不連続な部位を含んでいてもよいし、全体にわたって連続していてもよい。表面３５に不連続な部位をもたせた後レンズ群３２の例を図４に示す。この例では、光軸Ａｘとの交点を中心とする中心角９０゜の扇形の部位３５ａを、他の部位３５ｂに対して不連続にしている。部位３５ａは非球面の凸面であり、部位３５ｂは光軸Ａｘに対して垂直な平面である。
【００３８】
表面３５を全体にわたって連続させた後レンズ群３２の例を図５に示す。この例は、表面３５をトロイダル面とし、半円形の部位３５ｃと部位３５ｄを互いに非対称にしたものである。なお、図５では、切除する部位も含めて後レンズ群３２を表している。
【００３９】
表面３５を図４の形状とした場合を例にとり、ＤＭＤ４０上での照明光の強度分布の均一性が向上し、照明光の損失が低減する理由を、図６、図７を参照して説明する。図６は照明光の光路を、図７はＤＭＤ４０を含む平面上での照明範囲を示したものであり、それぞれ前述の図１３、図１４に対応している。
【００４０】
図６に示すように、光軸Ａｘに関して対称な任意の２点Ｐ１、Ｐ２からの光は、ＤＭＤ４０上の点Ｐ１’、Ｐ２’にそれぞれ達するが、ＤＭＤ４０に近い側の屈折力が大きい後レンズ群３２は、屈折力が対称な図１３の従来の後レンズ群６２よりも、光軸Ａｘから点Ｐ１’までの距離と光軸Ａｘから点Ｐ２’までの距離の差を減少させることができる。したがって、ＤＭＤ４０上での照明光の強度の勾配が小さくなり、強度分布の均一性が増す。また、図７に示すように、ＤＭＤ４０を含む平面上での照明範囲Ａの歪みを、図１４に示した従来の歪みよりも小さくすることができるから、照明光の損失を大幅に低減することが可能になり、強度分布の均一性をさらに高めることができる。
【００４１】
【実施例】
以下、リレー光学系３０の具体的な実施例を示す。各実施例に共通の構成を図８に示し、その構造データを表１に掲げる。各実施例は、前レンズ群３１および後レンズ群３２をそれぞれ１つのレンズで構成し、後レンズ群３２の出射側の面Ｓ１を非対称な面３５としたものである。後レンズ群３２の入射側の面Ｓ２と前レンズ群３１の出射側の面Ｓ４は、式１で定義される非球面とされている。ここで、Ｚは光軸（Ｚ軸）方向のサグであり、Ｃ0＝１／ＣＲである。
Ｚ＝Ｃ0・Ｙ2／｛１＋（１−ε・Ｃ02・Ｙ2）1/2｝
＋Ａ2・Ｙ2＋Ａ3・Ｙ3＋・・・＋Ａ16・Ｙ16                 … 式１
【００４２】
0004126877.tif 000002
【００４３】
第１の実施例では、後レンズ群３２の非対称な表面３５（面Ｓ１）を図４の不連続な形状とし、扇形の非球面の部位３５ａをＣＲ＝１７０.０ｍｍ、ε＝−３０、Ａ2〜Ａ16＝０とした。部位３５ｂはＣＲ＝∞である。
【００４４】
第２の実施例では、後レンズ群３２の非対称な表面３５（面Ｓ１）を図５の連続した形状とし、式２で定義されるトロイダル面を、部位３５ｃについては、ＣＲｘ＝１００.０ｍｍ、ＣＲｙ＝５０００.０ｍｍ、ε＝−５０、Ａ2〜Ａ16＝０、部位３５ｄについては、ＣＲｘ＝−４００.０ｍｍ、ＣＲｙ＝５０００.０ｍｍ、ε＝０、Ａ2〜Ａ16＝０とした。
Ｘ2＋（Ｚ−ＣＲｙ）2＝
［ＣＲｙ−Ｃ0・Ｙ2／｛１＋（１−ε・Ｃ02・Ｙ2）1/2｝］2  … 式２
【００４５】
第１の実施例および第２の実施例におけるＤＭＤ４０を含む平面上での照明光の強度分布を、図９および図１０にそれぞれ示す。また、表面３５（面Ｓ１）全体を平面とした比較例におけるＤＭＤ４０を含む平面上での照明光の強度分布を図１１に示す。
【００４６】
ＤＭＤ４０上での照明光の均一度（最高強度に対する最低強度の比）は、比較例では０.６０であるのに対し、第１の実施例では０.６６であり、第２の実施例では０.６８であった。また、ＤＭＤ４０に入射する照明光の量は、比較例を１として相対値で表すと、第１の実施例では１.０６、第２の実施例では１.０８となって大きく増大した。
【００４７】
なお、ここでは後レンズ群３２の出射側の面Ｓ１を非対称な形状を有する表面３５としているが、入射側の面Ｓ２あるいは出射側の面Ｓ１と入射側の面Ｓ２の双方を非対称な形状を有する表面とすることもできる。また、後レンズ群を複数のレンズで構成して、いずれか１つの面または２以上の面を非対称な形状としてもよい。
【００４８】
【発明の効果】
リレー光学系の後レンズ群の屈折力を、リレー光学系の光軸と被照明領域の法線とを含む平面に沿う方向に非対称にし、かつ、被照明領域から遠い側よりも被照明領域に近い側で大きくした本発明の照明光学系では、リレー光学系の光軸に対して傾斜した面に照明光を略均一な強度分布で導くことが可能であり、傾斜した面上の所望の範囲のみに照明光を導くこともできる。したがって、照明対象を斜め方向から照明する用途に好適である。
【００４９】
また、本発明の映像投射装置では、映像表示素子が照明光に対して傾斜しているにもかかわらず、照明光学系の特長が生かされて、映像表示素子を略均一に照明することができる。しかも、照明光の損失が大幅に抑えられて、明るい映像を提供することが可能である。
【図面の簡単な説明】
【図１】  本発明の一実施形態の映像投射装置の構成を模式的に示す図。
【図２】  リレー光学系の光軸を含みＤＭＤのミラー素片の回動軸に垂直な断面図。
【図３】  リレー光学系の後レンズ群とＤＭＤの位置関係を模式的に示す図。
【図４】  不連続な表面形状を有するリレー光学系の後レンズ群を模式的に示す斜視図。
【図５】  連続した表面形状を有するリレー光学系の後レンズ群を模式的に示す斜視図。
【図６】  上記映像投射装置の照明光の光路を模式的に示す図。
【図７】  上記映像投射装置のＤＭＤを含む平面上での照明範囲を模式的に示す図。
【図８】  リレー光学系の実施例の構成を示す断面図。
【図９】  第１の実施例におけるＤＭＤを含む平面上での照明光の強度分布を示す図。
【図１０】  第２の実施例におけるＤＭＤを含む平面上での照明光の強度分布を示す図。
【図１１】  比較例におけるＤＭＤを含む平面上での照明光の強度分布を示す図。
【図１２】  従来の映像投射装置の構成を模式的に示す図。
【図１３】  従来の映像投射装置の照明光の光路を模式的に示す図。
【図１４】  従来の映像投射装置のＤＭＤを含む平面上での照明範囲を模式的に示す図。
【符号の説明】
１    映像投射装置
３    照明光学系
１０    光源
１１    ランプ
１２    リフレクタ
２０    インテグレータ
２１    入射端面
２２    出射端面
３０    リレー光学系
３１    前レンズ群
３２    後レンズ群
３３    絞り
３５    レンズ表面
４０    ＤＭＤ（映像表示素子）
４１    ミラー素片
５０    投射光学系
５１    絞り
【図１】
0004126877.tif 000003
【図２】
0004126877.tif 000004
【図３】
0004126877.tif 000005
【図４】
0004126877.tif 000006
【図５】
0004126877.tif 000007
【図６】
0004126877.tif 000008
【図７】
0004126877.tif 000009
【図８】
0004126877.tif 000010
【図９】
0004126877.tif 000011
【図１０】
0004126877.tif 000012
【図１１】
0004126877.tif 000013
【図１２】
0004126877.tif 000014
【図１３】
0004126877.tif 000015
【図１４】
0004126877.tif 000016